(57)【要約】【課題】複数の機種の表示装置に対応して柱体のベースへの取付位置を変えることができ、共有にすることができるスタンド、及び該スタンドを備える表示装置を提供する。【解決手段】表示装置本体に横方向に離隔して取付けられる２本の柱体３，３及び該柱体３，３の下端部に雄螺子４にて取付けられるベース５を有し、該ベース５には、柱体３，３の本数よりも多い第１孔５１を横方向に離隔した複数の位置に開設し、柱体３，３の夫々には第１孔５１よりも少数の第２孔を下端面に開設し、横方向に離隔した複数の位置に開設してある第１孔５１を選択して柱体３，３を取付けることができるように構成することにより、２本の柱体３，３の離隔寸法を長短に変えることができるようにした。【選択図】図４
2011064798.tif 000002
【特許請求の範囲】
【請求項１】
ベースと、該ベースに下端部が取付けられ、上端部に被支持物が装着される１本又は複数本の柱体とを備えるスタンドにおいて、前記ベースには、前記柱体の本数よりも多い第１孔を横方向に離隔した複数の位置に開設してあり、前記柱体の夫々には前記第１孔よりも少数の第２孔を下端面に開設してあることを特徴とするスタンド。
【請求項２】
複数本の前記柱体が横方向に離隔して配置され、各柱体は、前記第１孔及び第２孔に嵌入される螺子にて前記ベースに固定されている請求項１記載のスタンド。
【請求項３】
前記柱体が挿通される挿通孔を有し、前記ベースの上側を被覆するカバーを備え、前記挿通孔は前記第１孔が離隔する方向に長い長孔である請求項１又は２記載のスタンド。
【請求項４】
前記ベースは、該ベースの中央部で重なり合う二つのベース分体からなり、該ベース分体の夫々は、前記重なり合う部分に前記横方向に長い長孔を有し、重なり合う部分から前記長孔の長手方向に離隔した位置に前記第１孔を有し、前記各長孔に挿入して前記ベース分体を相互に移動を可能に結合する螺子及び該螺子に螺合されるナットを備える請求項２又は３に記載のスタンド。
【請求項５】
前記ベースは、該ベースの中央部で横方向に対向する二つのベース分体からなり、該ベース分体の夫々は、前記対向する側に第３孔が設けられ、前記対向する側から前記横方向へ離隔した位置に前記第１孔を有し、前記ベース分体の夫々に重なり、前記各第３孔に対応する第４孔が設けられている連結部材と、前記各第３孔及び第４孔に嵌入して前記ベース分体を相互に移動を可能に結合する螺子とを備える請求項２又は３に記載のスタンド。
【請求項６】
画像表示面を有し、前記被支持物を構成する表示装置本体と、該表示装置本体の下部に取付けられる請求項１から５のいずれか一つに記載のスタンドとを備えることを特徴とする表示装置。
【発明の詳細な説明】
【技術分野】
【０００１】
本発明は液晶テレビジョン、プラズマテレビジョン等の被支持物を支持するスタンド、及びスタンドを備える表示装置に関する。
【背景技術】
【０００２】
液晶テレビジョン等の薄型の表示装置は、前側に表示面を有し、後側に補強用の柱形部材を有する表示装置本体と、前記柱形部材夫々の下部に取付けられる２本の柱体を有し、前記表示装置本体を起立状態で支持するスタンドとを備える（例えば、特許文献１参照）。
【０００３】
スタンドは、ベースと、該ベースの横方向へ離隔した二つの位置に雄螺子にて下端部が取付けられ、上端部が前記柱形部材夫々の下部に取付けられる二つの柱体とを有する。ベースの横方向へ離隔した２箇所には複数の貫通孔が設けられ、柱体の下端には前記貫通孔と同数の螺子孔が設けられ、貫通孔の夫々に挿入する雄螺子を前記螺子孔に螺入することにより柱体がベースに取付けられる。
【先行技術文献】
【特許文献】
【０００４】
【特許文献１】特開２００６−３３７７７６号公報
【発明の概要】
【発明が解決しようとする課題】
【０００５】
ところが、液晶テレビジョン等の薄型の表示装置は、略直方体をなす表示装置本体の大きさが異なる複数の機種があり、夫々の機種に対応した大きさのスタンドが表示装置本体に取付けられていた。このため、表示装置の機種に対応した個数のスタンドが必要であったし、また、スタンド夫々のベースを成形するための専用の成形型が必要であり、スタンドのコスト、及び表示装置のコストが高くなり、改善策が要望されていた。
【０００６】
本発明は斯かる事情に鑑みてなされたものであり、主たる目的は複数の機種の表示装置に対応して柱体のベースへの取付位置を変えることができ、共有にすることができるスタンド、及び該スタンドを備える表示装置を提供する点にある。
【課題を解決するための手段】
【０００７】
本発明に係るスタンドは、ベースと、該ベースに下端部が取付けられ、上端部に被支持物が装着される１本又は複数本の柱体とを備えるスタンドにおいて、前記ベースには、前記柱体の本数よりも多い第１孔を横方向に離隔した複数の位置に開設してあり、前記柱体の夫々には前記第１孔よりも少数の第２孔を下端面に開設してあることを特徴とする。
【０００８】
この発明にあっては、機種が異なる表示装置の表示装置本体にスタンドを取付ける際、横方向に離隔した複数の位置に開設してある第１孔を選択して柱体をベースに取付けることができるため、ベース及び該ベースを成形するための成形型を共有にすることができ、スタンドのコストを低減できる。
【０００９】
また、本発明に係るスタンドは、複数本の前記柱体が横方向に離隔して配置され、各柱体は、前記第１孔及び第２孔に嵌入される螺子にて前記ベースに固定されている構成とするのが好ましい。
この発明にあっては、横方向に離隔して並置される柱体の離隔寸法が異なる場合でも、複数本の柱体を一つのベースに取付けることができるため、複数本の柱体を有するスタンドのコストを低減できる。
【００１０】
また、本発明に係るスタンドは、前記柱体が挿通される挿通孔を有し、前記ベースの上側を被覆するカバーを備え、前記挿通孔は前記第１孔が離隔する方向に長い長孔である構成とするのが好ましい。
この発明にあっては、カバーにてスタンドの品位を高めることができるとともに、横方向に離隔した複数の位置に開設してある複数の第１孔を選択して柱体をベースに取付ける際、カバーに邪魔されることなく柱体をベースに取付けることができる。
【００１１】
また、本発明に係るスタンドは、前記ベースは、該ベースの中央部で重なり合う二つのベース分体からなり、該ベース分体の夫々は、前記重なり合う部分に前記横方向に長い長孔を有し、重なり合う部分から前記長孔の長手方向に離隔した位置に前記第１孔を有し、前記各長孔に挿入して前記ベース分体を相互に移動を可能に結合する螺子及び該螺子に螺合されるナットを備える構成とするのが好ましい。
この発明にあっては、機種が異なる表示装置の表示装置本体にスタンドを取付ける際、螺子を弛緩することでベース分体を相互に移動させ、第１孔の離隔寸法を変えることができるため、第１孔の個数を増やすことなく、複数の柱体の離隔寸法を変えることができ、ベースの剛性を高めることができる。
【００１２】
また、本発明に係るスタンドは、前記ベースは、該ベースの中央部で横方向に対向する二つのベース分体からなり、該ベース分体の夫々は、前記対向する側に第３孔が設けられ、前記対向する側から前記横方向へ離隔した位置に前記第１孔を有し、前記ベース分体の夫々に重なり、前記各第３孔に対応する第４孔が設けられている連結部材と、前記各第３孔及び第４孔に嵌入して前記ベース分体を相互に移動を可能に結合する螺子とを備える構成とするのが好ましい。
この発明にあっては、機種が異なる表示装置の表示装置本体にスタンドを取付ける際、螺子を弛緩することでベース分体を相互に移動させ、第１孔の離隔寸法を変えることができるため、第１孔の個数を増やすことなく、複数の柱体の離隔寸法を変えることができ、ベースの剛性を高めることができる。
【００１３】
また、本発明に係る表示装置は、画像表示面を有し、前記被支持物を構成する表示装置本体と、該表示装置本体の下部に取付けられる前述した発明のスタンドとを備えることを特徴とする。
この発明にあっては、機種が異なる表示装置本体にスタンドを取付ける際、横方向に離隔した複数の位置に開設してある第１孔を選択して柱体をベースに取付けることができるため、ベース及び該ベースを成形するための成形型を共有にすることができ、スタンドのコスト、ひいては表示装置のコストを低減できる。
【発明の効果】
【００１４】
本発明によれば、機種が異なる表示装置本体にスタンドを取付ける際、横方向に離隔した複数の位置に開設してある複数の第１孔を選択して柱体をベースに取付けることができるため、ベース及び該ベースを成形するための成形型を共有にすることができ、スタンドのコスト、及びスタンドを備える表示装置のコストを低減できる。
【図面の簡単な説明】
【００１５】
【図１】本発明に係るスタンドを備える表示装置の構成を示す正面図である。
【図２】本発明に係るスタンドの構成を示す正面図である。
【図３】本発明に係るスタンドの構成を示す平面図である。
【図４】本発明に係るスタンドの構成を示す底面側の斜視図である。
【図５】本発明に係るスタンドの構成を示す底面図である。
【図６】本発明に係るスタンドの柱体及びベースの結合構造を示す拡大断面図である。
【図７】柱体の離隔寸法が長い場合のスタンドの構成を示す正面図である。
【図８】柱体の離隔寸法が長い場合のスタンドの構成を示す平面図である。
【図９】柱体の離隔寸法が長い場合のスタンドの構成を示す底面図である。
【図１０】本発明に係るスタンドの他の構成を示す断面図である。
【図１１】ベースの中央部に柱体が取付けられた場合のスタンドの構成を示す断面図である。
【図１２】本発明に係るスタンドの他の構成を示す断面図である。
【図１３】本発明に係るスタンドの他の構成を示す断面図である。
【発明を実施するための形態】
【００１６】
以下本発明をその実施の形態を示す図面に基づいて詳述する。
実施の形態１
図１は本発明に係るスタンドを備える表示装置の構成を示す正面図、図２はスタンドの構成を示す正面図、図３はスタンドの構成を示す平面図、図４はスタンドの構成を示す底面側の斜視図、図５はスタンドの構成を示す底面図、図６はスタンドの柱体及びベースの結合構造を示す拡大断面図である。
【００１７】
図示した表示装置は前面に画像表示面１ａを有し、略直方体をなす表示装置本体Ａと、該表示装置本体Ａの下側に配置され、表示装置本体Ａを起立状態で支持するスタンドＢとを備える薄型の液晶テレビジョンである。
【００１８】
表示装置本体Ａは前面に画像表示面１ａを有する液晶のパネル１と、該パネル１の後側に配置された拡散板等の光学シートと、該光学シートの後側に配置された光源部と、該光源部の後面に装着された電源基板等の回路基板と、これらパネル等の部品を収容したキャビネット２とを備えている。
【００１９】
光源部は、離隔して並置される蛍光管、発光ダイオード等の複数の光源と、該光源を保持する箱状の保持体とを備え、該保持体の後面下部で、且つ横方向中央側に横断面コ字形をなす半筒状の二つの取付部が横方向に離隔して設けられ、該取付部に２本の柱体３，３を有するスタンドＢが取外しを可能に取付けられる。
【００２０】
スタンドＢは、床等に載置されるベース５と、該ベース５に下端部が雄螺子４にて取付けられ、上端部が前記二つの取付部に取外しを可能に取付けられる二つの柱体３，３及び柱体３，３が挿通される二つの挿通孔６１，６１が設けられ、ベース５の上側を被覆するカバー６とを備える。
【００２１】
ベース５は、金属板を平面視略Ｈ字形に成形してなり、横方向に離隔した一側及び他側夫々の、横方向に離隔した三つの位置に第１孔５１が等間隔で開設され、また、隣合う第１孔５１の間に位置決め凹部５２が設けられている。第１孔５１及び位置決め凹部５２は２列に並置されている。また、横方向に隣合う第１孔５１間で、第１孔５１の列と偏倚した位置にも第１孔５１が設けられ、前記一側及び他側夫々の第１孔５１の総数は８個である。ベース５の横方向の両端間には凸条の複数のリブ５ａが並設されている。また、ベースにおける周縁部の複数の周方向位置には取付孔５ｂが開設されている。
【００２２】
柱体３，３は、横断面コ字形の半筒状をなし、上端部には横方向に貫通する複数の貫通孔が設けられ、下端部には底壁３ａ及び外向きの鍔部を有し、底壁３ａに、前記横方向に隣合う二つ（２列であるため四つ）の第１孔５１に対向する四つの第２孔３１と、二つの位置決め凹部５２に対応する二つの位置決め凸部３２とが設けられている。前記鍔部には、第１孔５１の列と偏倚した位置の前記第１孔５１に対向する第２孔３１が設けられ、第２孔３１の総数は５個であり、５個の第２孔３１が、５個の第１孔５１と対向するように構成されている。
【００２３】
柱体３，３のベース５への取付は、ベース５の横方向一側及び他側に柱体３，３を載置し、ベース５の横方向一側及び他側夫々の横方向に離隔した三つの位置に開設されている第１孔５１のうち、隣合う二つの第１孔５１に第２孔３１を対向させ、位置決め凸部３２を位置決め凹部５２に嵌合させた状態でベース５の第１孔５１に雄螺子４を挿入し、該雄螺子４を、柱体３，３の第２孔３１に螺入することにより柱体３，３をベース５に取付ける。
【００２４】
カバー６は、成形された合成樹脂製であり、平面視略矩形をなしベース５の上側を被覆する浅底の第１覆部６ａと、該第１覆部６ａの幅方向中央部から上方へ突出し、有底の角筒形をなす第２覆部６ｂとを有し、第２覆部の上面に、柱体３，３が挿通される長孔状の二つの挿通孔６１，６１が設けられている。
【００２５】
挿通孔６１，６１は柱体３，３が離隔する方向に長い長孔であり、柱体３，３の離隔寸法が変わる際、挿通孔６１，６１の長手方向一方側、又は他方側に柱体３，３が位置するように構成されている。第１覆部６ａにおけるベース５の周縁部と対向する位置には、取付孔５ｂと対向する貫通孔６２が開設され、該貫通孔６２に挿入される雄螺子６０にてカバー６がベース５に取付けられている。
【００２６】
以上のように構成された表示装置のスタンドＢは、横方向に離隔した一側及び他側夫々の、横方向に離隔した三つの位置に第１孔５１が等間隔で開設され、柱体の下端部には、前記横方向に離隔する二つの位置に、第１孔５１と対向する第２孔３１が開設され、横方向に離隔した第１孔５１の列上には、横方向に離隔して開設されている第２孔３１の個数よりも多い第１孔５１が開設され、換言すると１本の柱体３に開設されている前記横方向に離隔する第２孔３１の個数は、横方向に離隔して開設されている第１孔５１よりも少数であるため、横方向に離隔して開設されている第１孔５１の二つを選択し、選択した二つの第１孔５１に、１本の柱体３に開設されている第２孔３１を対向させることにより、柱体３，３の離隔寸法Ｈを長短に変えることができる。また、カバー６の挿通孔６１，６１に柱体３，３を挿入し、雄螺子６０にてカバー６がベース５に取付けられる。
【００２７】
表示装置の機種の違いに対応して柱体３，３の離隔寸法Ｈが短い場合、図５に示すように、横方向に離隔した三つの位置に開設されている第１孔５１のうち、横方向内側の二つの位置に配されている第１孔５１に柱体３の第２孔３１が対向し、横方向内側の二つの第１孔５１に雄螺子４が挿入され、柱体３，３の離隔寸法Ｈが短くなっている。この場合、柱体３，３は挿通孔６１，６１の長手方向内側に配される。
【００２８】
図７は柱体の離隔寸法が長い場合のスタンドの構成を示す正面図、図８は柱体の離隔寸法が長い場合のスタンドの構成を示す平面図、図９は柱体の離隔寸法が長い場合のスタンドの構成を示す底面図である。表示装置の機種の違いに対応して柱体３，３の離隔寸法Ｈが長い場合、図９に示すように、横方向に離隔した三つの位置に開設されている第１孔５１のうち、横方向外側の二つの位置に配されている第１孔５１に柱体３の第２孔３１が対向し、横方向外側の二つの第１孔５１に雄螺子４が挿入され、柱体３，３の離隔寸法Ｈが長くなっている。この場合、柱体３，３は挿通孔６１，６１の長手方向外側に配される。
【００２９】
また、以上のように構成されたスタンドＢのベース５には、第１孔５１が２列に並置されているため、柱体３のベース５に対する安定性を高めることができるとともに、柱体３の取付強度を高めることができる。
【００３０】
また、以上のように構成されたスタンドＢのベース５は、既存の成形型により成形することができる。例えば、特定の表示装置におけるスタンドＢのベース５を成形する成形型を、外形及びリブ５ａを成形するための第１型と、該第１型に取替えを可能に装着され、第１孔５１を開設するための成形ピンを有する第２型とを備える構成とし、第２型を取替えることにより、横方向に離隔した三つの位置に第１孔５１が開設されたベース５を成形することができる。
【００３１】
実施の形態２
図１０はスタンドの他の構成を示す断面図、図１１はベースの中央部に柱体が取付けられた場合のスタンドの構成を示す断面図である。このスタンドＢは、ベース５の長手方向一端側から他端側に亘って第１孔５１を等間隔で２列に設けたものである。
【００３２】
この実施の形態にあっては、ベース５の長手方向一端側の横方向に隣合う二つの第１孔５１（２列であるため合計四つ）及び長手方向他端側の横方向に隣合う二つの第１孔５１（２列であるため合計四つ）に柱体３，３を取付けることができるし、また、ベース５の長手方向中央側の隣合う二つの第１孔５１（２列であるため合計四つ）に１本の柱体３を取付けることができる。柱体３が１本である場合、図１１に示すように柱体３の上端に、横方向両側へ延出された横杆部材３３と、該横杆部材３３の両端部から上方へ延出された二つの縦杆部材３４，３４が設けられ、該縦杆部材３４，３４が表示装置本体Ａの下部に取付けられる。
その他の構成及び作用は実施の形態１と同様であるため、同様の部品については同じ符号を付し、その詳細な説明及び作用効果の説明を省略する。
【００３３】
実施の形態３
図１２はスタンドの他の構成を示す断面図である。このスタンドＢは、ベース５を、該ベース５の中央部で重なり合い、横方向に相互に移動を可能に結合される二つのベース分体５３，５３を有する構成としたものである。
【００３４】
ベース分体５３，５３は、横方向一端部に、非選択の第１孔５１、換言すると第２孔と同数の第１孔５１が設けられ、横方向他端部に、厚さ方向の段部を経て厚さ方向に重なり合う重合部５３ａ，５３ａを有する金属板からなり、重合部５３ａ，５３ａに、横方向に長い複数の長孔５４，５４が設けられている。
【００３５】
二つのベース分体５３，５３の結合は、重合部５３ａ，５３ａを重ね合わせた状態で雄螺子７を長孔５４，５４に挿入し、該雄螺子７の先端部にナット８を螺合することにより、二つのベース分体５３，５３を相互に横方向へ移動を可能に結合する。
【００３６】
この実施の形態にあっては、二つのベース分体５３，５３の非選択の第１孔５１に雄螺子４にて柱体３，３が取付けられる。また、雄螺子７を弛緩することにより、二つのベース分体５３，５３を相互に横方向へ移動させ、柱体３，３の離隔寸法Ｈを長短に変えることができる。
その他の構成及び作用は実施の形態１と同様であるため、同様の部品については同じ符号を付し、その詳細な説明及び作用効果の説明を省略する。
【００３７】
実施の形態４
図１３はスタンドの他の構成を示す断面図である。このスタンドＢは、ベース５を、該ベース５の中央部で横方向に対向し、横方向に並置される二つのベース分体５５，５５と、該ベース分体５５，５５を相互に横方向へ移動を可能に連結する連結板５６とを有する構成としたものである。
【００３８】
ベース分体５５，５５は、横方向一端部に非選択の第１孔５１、換言すると第２孔と同数の第１孔５１が設けられ、横方向他端部に複数の第３孔５７，５７が設けられている金属板からなる。
【００３９】
連結板５６は、ベース分体５５，５５の横方向他端部に重なり合う金属板からなり、横方向へ離隔した位置に、第３孔５７に対応する第４孔５８，５８が設けられている。第４孔５８，５８は横方向に長い長孔であり、該第４孔５８，５８に挿入される雄螺子９を第３孔５７，５７に螺入することにより、ベース分体５５，５５を相互に横方向へ移動を可能に連結板５６に結合する。
【００４０】
この実施の形態にあっては、二つのベース分体５５，５５の非選択の第１孔５１に雄螺子４にて柱体３，３が取付けられる。また、雄螺子９を弛緩することにより、二つのベース分体５５，５５を相互に横方向へ移動させ、柱体３，３の離隔寸法Ｈを長短に変えることができる。
その他の構成及び作用は実施の形態１と同様であるため、同様の部品については同じ符号を付し、その詳細な説明及び作用効果の説明を省略する。
【００４１】
尚、以上説明した実施の形態では、柱体３，３及びベース５を結合する手段として雄螺子４を用いたが、その他、雄螺子４に代えてリベットを用い、該リベットのカシメまたは圧入により柱体３，３をベース５に取付ける構成としてもよい。
【００４２】
また、以上説明した実施の形態では、横方向に離隔した複数の位置に開設する第１孔５１を複数列に並置した構成としたが、その他、第１孔５１は横方向に離隔した複数の位置に１列に開設される構成としてもよい。
【００４３】
また、以上説明した実施の形態では、カバー６を有する構成としたが、その他、カバー６は特に必要でない。
【００４４】
また、本発明に係る表示装置は液晶テレビジョン等の液晶表示装置である他、プラズマ表示装置、ＥＬディスプレイ等の表示装置であってもよい。
【符号の説明】
【００４５】
Ａ    表示装置本体（被支持物）
Ｂ    スタンド
３    柱体
３１  第２孔
４    螺子（雄螺子）
５    ベース
５１  第１孔
５３，５５  ベース分体
５３ａ  重合部（重なり合う部分）
５４  挿通孔（長孔）
５６  連結部材（連結板）
５７  第３孔
５８  第４孔
６    カバー
６１  挿通孔
７    螺子（雄螺子）
９    螺子（雄螺子）
【図１】
2011064798.tif 000003
【図２】
2011064798.tif 000004
【図３】
2011064798.tif 000005
【図４】
2011064798.tif 000006
【図５】
2011064798.tif 000007
【図６】
2011064798.tif 000008
【図７】
2011064798.tif 000009
【図８】
2011064798.tif 000010
【図９】
2011064798.tif 000011
【図１０】
2011064798.tif 000012
【図１１】
2011064798.tif 000013
【図１２】
2011064798.tif 000014
【図１３】
2011064798.tif 000015